【手続補正書】
【提出日】平成24年6月14日(2012.6.14)
【手続補正１】
【補正対象書類名】明細書
【補正対象項目名】００１６
【補正方法】変更
【補正の内容】
【００１６】
本発明の目的は、電子ペーパーに格納されたドキュメントのページ毎にセキュリティ情報を設定し、また、ページ毎に複写可否の判定を行うことができる画像処理装置及びその制御方法、並びにプログラムを提供することにある。
【手続補正２】
【補正対象書類名】明細書
【補正対象項目名】００１７
【補正方法】変更
【補正の内容】
【００１７】
上記目的を達成するために、請求項１記載の画像処理装置は、スキャナと、表示媒体と通信するためのインタフェースとを備える画像処理装置において、前記表示媒体に表示されるページのセキュリティ情報を要求する要求手段と、前記要求手段の要求に応じて前記表示媒体から送信された前記セキュリティ情報を取得する取得手段と、前記取得手段により取得された前記セキュリティ情報に基づいて前記スキャナのスキャンの可否を判定する判定手段とを備え、前記表示媒体に表示される複数のページを読み取る場合に、前記要求手段は、改ページを要求すると共に、新たに表示されるページのセキュリティ情報を要求し、前記判定手段は、前記新たに表示されるページのセキュリティ情報に基づいて前記スキャナのスキャンの可否を判定することを特徴とする。
【手続補正３】
【補正対象書類名】明細書
【補正対象項目名】００１８
【補正方法】変更
【補正の内容】
【００１８】
本発明の画像処理装置及びその制御方法、並びにプログラムによれば、電子ペーパーに格納されたドキュメントのページ毎にセキュリティ情報を設定し、また、ページ毎に複写可否の判定を行うことができる。
【手続補正４】
【補正対象書類名】特許請求の範囲
【補正対象項目名】全文
【補正方法】変更
【補正の内容】
【特許請求の範囲】
【請求項１】
スキャナと、表示媒体と通信するためのインタフェースとを備える画像処理装置において、
前記表示媒体に表示されるページのセキュリティ情報を要求する要求手段と、
前記要求手段の要求に応じて前記表示媒体から送信された前記セキュリティ情報を取得する取得手段と、
前記取得手段により取得された前記セキュリティ情報に基づいて前記スキャナのスキャンの可否を判定する判定手段とを備え、
前記表示媒体に表示される複数のページを読み取る場合に、前記要求手段は、改ページを要求すると共に、新たに表示されるページのセキュリティ情報を要求し、前記判定手段は、前記新たに表示されるページのセキュリティ情報に基づいて前記スキャナのスキャンの可否を判定することを特徴とする画像処理装置。
【請求項２】
スキャナと、表示媒体と通信するためのインタフェースとを備える画像処理装置において、
前記表示媒体に表示される画像に関するセキュリティ情報を取得する取得手段と、
前記取得手段により取得された前記セキュリティ情報に基づき、前記スキャナのスキャンの可否を判定する判定手段とを備え、
前記取得手段は、前記表示媒体に表示されている画像が切り替えられる毎に前記セキュリティ情報を取得し、前記判定手段は、前記スキャンの可否を判定することを特徴とする画像処理装置。
【請求項３】
前記取得手段によって取得されたセキュリティ情報が、認証処理を必要とすることを示す情報であった場合、ユーザによって入力される認証情報に基づいて認証処理を実行する認証手段と、
前記判定手段は、前記認証手段による認証処理に結果に基づいて前記スキャナのスキャンの可否を判定することを特徴とする請求項１又は２の画像処理装置。
【請求項４】
スキャナと、表示媒体と通信するためのインタフェースとを備える画像処理装置において、
前記スキャナでスキャンした前記表示媒体の画像に対してセキュリティ設定を行う設定手段と、
前記スキャナでスキャンした前記表示媒体の画像及び前記設定手段でセキュリティ設定を行ったセキュリティ情報を前記表示媒体に格納する格納手段と、
を備えることを特徴とする画像処理装置。
【請求項５】
スキャナと、表示媒体と通信するためのインタフェースとを備える画像処理装置において、
自装置の記憶媒体に記憶されたセキュリティ情報を取得するセキュリティ情報取得手段と、
前記表示媒体の記憶媒体に記憶された画像のドキュメント情報を取得するドキュメント情報取得手段と、
前記セキュリティ情報と前記ドキュメント情報に基づき、前記スキャナのスキャンの可否を判定する判定手段とを備え、
前記ドキュメント情報取得手段は、前記表示媒体に表示されている画像が切り替えられる毎に前記ドキュメント情報を取得し、前記判定手段は、前記スキャナのスキャンの可否を判定することを特徴とする画像処理装置。
【請求項６】
前記セキュリティ情報取得手段は、自装置の前記記憶媒体に格納された前記セキュリティ情報をロードする手段であることを特徴とする請求項５記載の画像処理装置。
【請求項７】
前記セキュリティ情報取得手段は、他の画像処理装置の記憶媒体に格納された前記セキュリティ情報を取得する手段であることを特徴とする請求項５記載の画像処理装置。
【請求項８】
前記セキュリティ情報取得手段は、サーバの記憶媒体に格納された前記セキュリティ情報を取得する手段であることを特徴とする請求項５記載の画像処理装置。
【請求項９】
パターン画像を生成する生成手段と、
スキャン画像と、前記パターン画像を合成する合成手段とを更に備え、
前記セキュリティ情報と前記ドキュメント情報に基づいた前記スキャナのスキャンの可否の判定の結果、認証を経てスキャン可能と判定された場合に、前記スキャン画像と前記パターン画像とを合成することを特徴とする請求項５乃至８のいずれか１項に記載の画像処理装置。
【請求項１０】
前記インタフェースは、前記表示媒体と無線通信を行うためのインタフェースであることを特徴とする請求項１乃至９の何れか１項に記載の画像処理装置。
【請求項１１】
前記表示媒体は、電子ペーパーであることを特徴とする請求項１乃至１０の何れか１項に記載の画像処理装置。
【請求項１２】
スキャナと、表示媒体と通信するためのインタフェースとを備える画像処理装置の制御方法において、
前記表示媒体に表示されるページのセキュリティ情報を要求する要求ステップと、
前記要求ステップの要求に応じて前記表示媒体から送信された前記セキュリティ情報を取得する取得ステップと、
前記取得ステップにより取得された前記セキュリティ情報に基づいて前記スキャナのスキャンの可否を判定する判定ステップとを備え、
前記表示媒体に表示される複数のページを読み取る場合に、前記要求ステップは、改ページの表示を要求すると共に、新たに表示されるページのセキュリティ情報を要求し、前記判定ステップは、前記新たに表示されたページのセキュリティ情報に基づいて前記スキャナのスキャンの可否を判定することを特徴とする画像処理装置の制御方法。
【請求項１３】
スキャナと、表示媒体と通信するためのインタフェースとを備える画像処理装置の制御方法において、
前記表示媒体に表示される画像に関するセキュリティ情報を取得する取得ステップと、
前記取得ステップにより取得された前記セキュリティ情報に基づき、前記スキャナのスキャンの可否を判定する判定ステップとを備え、
前記取得ステップは、前記表示媒体に表示されている画像が切り替えられる毎に前記セキュリティ情報を取得し、前記判定ステップは、前記スキャンの可否を判定することを特徴とする画像処理装置の制御方法。
【請求項１４】
スキャナと、表示媒体と通信するためのインタフェースとを備える画像処理装置の制御方法において、
前記スキャナでスキャンした前記表示媒体の画像に対してセキュリティ設定を行う設定ステップと、
前記スキャナでスキャンした前記表示媒体の画像及び前記設定ステップでセキュリティ設定を行ったセキュリティ情報を前記表示媒体に格納する格納ステップと、
を備えることを特徴とする画像処理装置の制御方法。
【請求項１５】
スキャナと、表示媒体と通信するためのインタフェースとを備える画像処理装置の制御方法において、
自装置の記憶媒体に記憶されたセキュリティ情報を取得するセキュリティ情報取得ステップと、
前記表示媒体の記憶媒体に記憶された画像のドキュメント情報を取得するドキュメント情報取得ステップと、
前記セキュリティ情報と前記ドキュメント情報に基づき、前記スキャナのスキャンの可否を判定する判定ステップとを備え、
前記ドキュメント情報取得ステップは、前記表示媒体に表示されている画像が切り替えられる毎に前記ドキュメント情報を取得し、前記判定ステップは、前記スキャナのスキャンの可否を判定することを特徴とする画像処理装置の制御方法。
【請求項１６】
スキャナと、表示媒体と通信するためのインタフェースとを備える画像処理装置の制御方法をコンピュータに実行させるプログラムにおいて、
前記画像処理装置の制御方法は、
前記表示媒体に表示されるページのセキュリティ情報を要求する要求ステップと、
前記要求ステップの要求に応じて前記表示媒体から送信された前記セキュリティ情報を取得する取得ステップと、
前記取得ステップにより取得された前記セキュリティ情報に基づいて前記スキャナのスキャンの可否を判定する判定ステップとを備え、
前記表示媒体に表示される複数のページを読み取る場合に、前記要求ステップは、改ページの表示を要求すると共に、新たに表示されたページのセキュリティ情報を要求し、前記判定ステップは、前記新たに表示るページのセキュリティ情報に基づいて前記スキャナのスキャンの可否を判定することを特徴とするプログラム。
【請求項１７】
スキャナと、表示媒体と通信するためのインタフェースとを備える画像処理装置の制御方法をコンピュータに実行させるプログラムにおいて、
前記画像処理装置の制御方法は、
前記表示媒体に表示される画像に関するセキュリティ情報を取得する取得ステップと、
前記取得ステップにより取得された前記セキュリティ情報に基づき、前記スキャナのスキャンの可否を判定する判定ステップとを備え、
前記取得ステップは、前記表示媒体に表示されている画像が切り替えられる毎に前記セキュリティ情報を取得し、前記判定ステップは、前記スキャンの可否を判定することを特徴とするプログラム。
【請求項１８】
スキャナと、表示媒体と通信するためのインタフェースとを備える画像処理装置の制御方法をコンピュータに実行させるプログラムにおいて、
前記画像処理装置の制御方法は、
前記スキャナでスキャンした前記表示媒体の画像に対してセキュリティ設定を行う設定ステップと、
前記スキャナでスキャンした前記表示媒体の画像及び前記設定ステップでセキュリティ設定を行ったセキュリティ情報を前記表示媒体に格納する格納ステップと、
を備えることを特徴とするプログラム。
【請求項１９】
スキャナと、表示媒体と通信するためのインタフェースとを備える画像処理装置の制御方法をコンピュータに実行させるプログラムにおいて、
前記画像処理装置の制御方法は、
自装置の記憶媒体に記憶されたセキュリティ情報を取得するセキュリティ情報取得ステップと、
前記表示媒体の記憶媒体に記憶された画像のドキュメント情報を取得するドキュメント情報取得ステップと、
前記セキュリティ情報と前記ドキュメント情報に基づき、前記スキャナのスキャンの可否を判定する判定ステップとを備え、
前記ドキュメント情報取得ステップは、前記表示媒体に表示されている画像が切り替えられる毎に前記ドキュメント情報を取得し、前記判定ステップは、前記スキャナのスキャンの可否を判定することを特徴とするプログラム。